(57)【特許請求の範囲】
【請求項１】
第１の誘電体層と、該第１の誘電体層の下面に配置されており、第１の方向に延在して終端する１本のみの帯状のストリップ導体と、前記第１の誘電体層の上面に配置されており、前記ストリップ導体を直角に横切る第２の方向に延びるスロットを有する接地導体層と、前記第１の誘電体層および前記接地導体層上に積層された第２の誘電体層と、該第２の誘電体層の上面に前記スロットが形成された位置にかぶさるように配置された第１のパッチ導体とを具備してなるアンテナ基板であって、前記スロットは、前記ストリップ導体と重なる位置に、該スロットにおける前記第１の方向の幅が前記ストリップ導体と重ならない部位の幅よりも部分的に大となる傍出部が前記ストリップ導体の幅よりも前記第２の方向に０〜１５０μｍ小さい寸法で形成されていることを特徴とするアンテナ基板。
【発明の詳細な説明】
【技術分野】
【０００１】
本発明は、誘電体層と導体層とを多層に積層することにより形成したアンテナ基板に関するものである。
【背景技術】
【０００２】
従来、アンテナ基板として、図４に断面模式図で、図５に分解斜視図で示すように、第１の誘電体層１１と、この第１の誘電体層１１の下面に第１の方向に延在して終端する帯状のストリップ導体１４と、第１の誘電体層１１の上面にストリップ導体１４を直角に横切る第２の方向に延びるスロット１５ａを備えて被着された接地導体層１５と、第１の誘電体層１１および接地導体層１５の上に積層された第２の誘電体層１２と、第２の誘電体層１２の上面に前記スロット１５ａが形成された位置にかぶさるように被着された第１のパッチ導体１６と、第２の誘電体層１２および第１のパッチ導体１６の上に積層された第３の誘電体層１３と、第３の誘電体層１３の上面に前記第１のパッチ導体１６が形成された位置にかぶさるように被着された第２のパッチ導体１７とを備えたアンテナ基板が知られている。
【０００３】
このアンテナ基板においては、ストリップ導体１４に高周波信号を給電すると、その信号が電磁的な結合によりスロット１５ａを介して第１および第２のパッチ導体１６，１７に伝わり、これらの第１および第２のパッチ導体１６，１７を介して高周波信号が電磁波として放射される。ところで、このようなアンテナ基板が第１および第２の２層のパッチ導体１６，１７を互いに重なるように備えているのは、２層のパッチ導体１６，１７を互いに重なるように備えることにより、アンテナの周波数帯域を広帯域化することができるためである。
【０００４】
しかしながら、例えば、ワイヤレスパーソナルエリアネットワークでは、使用される周波数帯域が各国で異なり、一つのアンテナ基板を全世界で使用可能とするためには５７〜６６ＧＨｚの広い周波数帯域をカバーする必要がある。そのためには、従来のアンテナ基板よりも更に広い周波数帯域を持つアンテナ基板を提供する必要がある。
【先行技術文献】
【特許文献】
【０００５】
【特許文献１】特開平７−２１２１２５号公報
【発明の概要】
【発明が解決しようとする課題】
【０００６】
本発明の課題は、例えば５７〜６６ＧＨｚの広い周波数帯域においても良好な信号の送受信を行なうことが可能な広帯域のアンテナ基板を提供することにある。
【課題を解決するための手段】
【０００７】
本発明のアンテナ基板は、第１の誘電体層と、該第１の誘電体層の下面に配置されており、第１の方向に延在して終端する１本のみの帯状のストリップ導体と、前記第１の誘電体層の上面に配置されており、前記ストリップ導体を直角に横切る第２の方向に延びるスロットを有する接地導体層と、前記第１の誘電体層および前記接地導体層上に積層された第２の誘電体層と、該第２の誘電体層の上面に前記スロットが形成された位置にかぶさるように配置された第１のパッチ導体とを具備してなるアンテナ基板であって、前記スロットは、前記ストリップ導体と重なる位置に、該スロットにおける前記第１の方向の幅が前記ストリップ導体と重ならない部位の幅よりも部分的に大となる傍出部が前記ストリップ導体の幅よりも前記第２の方向に０〜１５０μｍ小さい寸法で形成されていることを特徴とするものである。
【発明の効果】
【０００８】
本発明のアンテナ基板によれば、スロットのストリップ導体と重なる位置に、スロットにおける第１の方向の幅がストリップ導体と重ならない部位の幅よりも部分的に大となる傍出部がストリップ導体の幅よりも第２の方向に０〜１５０μｍ小さい寸法で形成されていることから、この傍出部を備えたスロットにより複合的な共振が良好に起こり、そのため広い周波数帯域において良好な信号の送受信を行なうことが可能である。
【図面の簡単な説明】
【０００９】
【図１】図１は、本発明のアンテナ基板の実施形態の一例を説明するための断面模式図である。
【図２】図２は、図１に示すアンテナ基板の分解斜視図である。
【図３】図３は、図１および図２に示すアンテナ基板における要部平面図である。
【図４】図４は、従来のアンテナ基板を示す断面図である。
【図５】図５は、図４に示すアンテナ基板の分解斜視図である。
【発明を実施するための形態】
【００１０】
次に、本発明のアンテナ基板の実施形態の一例を添付の図面を基に説明する。本例のアンテナ基板は、図１に断面模式図で、図２に分解斜視図で示すように、第１の誘電体層１と、この第１の誘電体層１の下面に第１の方向に延在して終端する帯状のストリップ導体５と、第１の誘電体層１の上面にストリップ導体５を直角に横切る第２の方向に延びるスロット６ａを備えて被着された接地導体層６と、第１の誘電体層１および接地導体層６の上に積層された第２の誘電体層２と、第２の誘電体層２の上面に前記スロット６ａが形成された位置にかぶさるように被着された第１のパッチ導体７と、第２の誘電体層２および第１のパッチ導体７の上に積層された第３の誘電体層３と、第３の誘電体層３の上面に前記第１のパッチ導体７が形成された位置にかぶさるように被着された第２のパッチ導体８と、第３の誘電体層３および第２のパッチ導体８の上に積層された第４の誘電体層４と、第４の誘電体層４の上面に前記第２のパッチ導体８が形成された位置にかぶさるように被着された第３のパッチ導体９とを備えている。
【００１１】
誘電体層１〜４は、例えばガラスクロスにエポキシ樹脂やビスマレイミドトリアジン樹脂、アリル変性ポリフェニレンエーテル樹脂等の熱硬化性樹脂を含浸させた絶縁シートやエポキシ樹脂やビスマレイミドトリアジン樹脂、アリル変性ポリフェニレンエーテル樹脂にシリカ粉末等の無機絶縁フィラーを分散させた絶縁シートを硬化させて成る。これらの絶縁層１〜４は、その比誘電率が４以下であることが好ましく、厚みとしては、５０〜２００μｍ程度であるのが好ましい。また、ストリップ導体５、接地導体層６およびパッチ導体７〜９は、何れも厚みが５〜２０μｍの銅箔や銅めっき層等の良伝導性の導電材料から成る。
【００１２】
第１の誘電体層１の下面に配置されたストリップ導体５は、幅が５０〜３５０μｍ程度の帯状の導体である。ストリップ導体５は、第１の誘電体層１の下面を第１の方向に延在するとともにその一端が第１の誘電体層の下面において終端している。このストリップ導体５は、本例のアンテナ基板において、高周波信号を入出力するための伝送路として機能し、このストリップ導体５に高周波信号が伝送される。
【００１３】
第１の誘電体層１の上面に配置された接地導体層６は、第１の誘電体層の上面の大部分を覆うように配置されており、ストリップ導体５を直角に横切る第２の方向に延びる略長方形状のスロット６ａを備えている。スロット６ａは、図３に示すように、第１の方向に平行な幅Ｗ１が０．１〜１ｍｍ程度、第２の方向に平行な長Ｌ１さが０．５〜１５０ｍｍ程度であり、ストリップ導体５と重なる位置に、スロット６ａにおける第１の方向の幅Ｗ２が部分的に大となる傍出部Ｅが形成されている。傍出部Ｅにおける幅Ｗ２は、他の部分の幅Ｗ１よりも０．１〜０．８ｍｍ程度大きな寸法となっている。なお、傍出部Ｅにおける第２の方向の寸法Ｌ２は、５０〜３５０μｍであり、ストリップ導体５の幅より０〜１５０μｍ小さい寸法が好ましい。このスロット６ａは、ストリップ導体５の終端側の傍出部Ｅの端辺がストリップ導体５の終端する一端から０．２〜８ｍｍの距離に位置するように設けられている。この接地導体層６は、ストリップ導体５を伝送する高周波信号を電磁波としてスロット６ａを介してパッチ導体７〜９に供給したり、あるいはパッチ導体７〜９で受信した高周波信号の電磁波をスロット６ａを介してストリップ導体５に伝えたりする機能を果たしている。
【００１４】
第２の誘電体層２の上面に配置された第１のパッチ導体７は、ストリップ導体５が延在する第１の方向に平行な短辺と、スロット６ａが延びる第２の方向に平行な長辺とを有する四角形である。このパッチ導体７は、スロット６ａからの高周波信号の電磁波を外部に向けて放射するとともに第２および第３および第４のパッチ導体８，９に伝える機能を果たしている。
【００１５】
第３の誘電体層３の上面に配置された第２のパッチ導体８も、同様にストリップ導体５が延在する第１の方向に平行な短辺と、スロット６ａが延びる第２の方向に平行な長辺とを有する四角形である。このパッチ導体８は、第１のパッチ導体７からの高周波信号の電磁波を外部に向けて放射するとともに第３パッチ導体９に伝える機能を果たしている。
【００１６】
第４の誘電体層４の上面に配置された第３のパッチ導体９も、同様にストリップ導体５が延在する第１の方向に平行な短辺と、スロット６ａが延びる第２の方向に平行な長辺とを有する四角形である。このパッチ導体９は、第１および第２のパッチ導体７，８からの高周波信号の電磁波を外部に向けて放射する機能を果たしている。
【００１７】
なお、第１〜第３のパッチ導体７〜９における短辺および長辺の長さはそれぞれ０．５〜５ｍｍである。なお、ここでは便宜上、短辺、長辺と表現しており、両者の長さが同一であってもよいし、あるいは両者の長さが逆転していてもよい。
【００１８】
そして本例においては、上述したように、スロット６ａのストリップ導体５と重なる位置に、スロット６ａにおける第１の方向の幅Ｗ２が部分的に大となる傍出部Ｅが形成されていることが重要である。この傍出部Ｅの存在により複合的な共振が起こるので、第１〜第３のパッチ導体７〜９を介して放射される高周波信号の周波数帯域が広いものとなる。
【００１９】
ここで、本発明者が図２に示したアンテナ基板において、絶縁層１〜４の比誘電率を３．７、絶縁層１，２の厚みをそれぞれ１００μｍ、絶縁層３，４の厚みをそれぞれ２００μｍとし、ストリップ導体５の厚みを１５μｍ、幅を２００μｍ、接地導体層６、パッチ導体７〜９の厚みをそれぞれ１１μｍ、スロット６ａの幅Ｗ１を０．２ｍｍ、長さＬ１を１ｍｍ、Ｗ２を０．４ｍｍ、Ｌ２を５０μｍ、傍出部Ｅの端辺からストリップ導体５の終端までの距離を０．７５ｍｍとし、これらの寸法を共通とした上で、第１のパッチ導体７の短辺の寸法を０．６ｍｍ、長辺の寸法を０．７ｍｍとし、第２のパッチ導体８の短辺の寸法を０．６ｍｍ、長辺の寸法を０．９ｍｍとし、第３のパッチ導体９の短辺の寸法を０．８ｍｍ、長辺の寸法を１．０ｍｍとした本発明に対応する第１のモデルと、傍出部Ｅを設けない以外は前記第１のモデルと同様の構成とした本発明の範囲外に対応する第２のモデルとを電磁界シミュレータによるシミュレーションで比較した結果、本発明の範囲外に対応する第２のモデルでは、反射損が−１０ｄＢ以下の帯域が５５〜７３ＧＨｚであったのに対して本発明に対応する第１のモデルでは、反射損が−１０ｄＢ以下の帯域が５４〜７４ＧＨｚと広いものであることが確認できた。このことは、例えば５７〜６６ＧＨｚの広い周波数帯域においてもさらに余裕をもって良好な信号の送受信を行なうことが可能であることを示している。
【符号の説明】
【００２０】
１    第１の誘電体層
２    第２の誘電体層
５    ストリップ導体
６    接地導体層
６ａ    スロット
７    第１のパッチ導体
Ｅ    傍出部
【図１】
0005863111.tif 000002
【図２】
0005863111.tif 000003
【図４】
0005863111.tif 000004
【図５】
0005863111.tif 000005
【図３】
0005863111.tif 000006